(57)【要約】【課題】商品の価格変更を簡単な作業で短時間に行うことが可能であり、かつ消費電力の増加の虞が少ない自動販売機を提供する。【解決手段】本発明の自動販売機１０は、複数の商品見本１２ａ〜１２ｈと、複数の商品見本１２ａ〜１２ｈに対応する複数の商品群１２１、１２２の価格をそれぞれ代表表示する代表価格表示装置２０と、代表価格表示装置２０に代表表示される価格と複数の商品群１２１、１２２との関連付けを表示する関連付け表示装置３０と、代表価格表示装置２０及び関連付け表示装置３０を制御する制御装置５０と、を備える。【選択図】図３
2014035662.tif 000002
【特許請求の範囲】
【請求項１】
複数の商品見本と、
前記複数の商品見本に対応する１又は複数の商品群の価格をそれぞれ代表表示する代表価格表示装置と、
前記代表価格表示装置に代表表示される価格と１又は複数の商品群との関連付けを表示する関連付け表示装置と、
前記代表価格表示装置及び関連付け表示装置を制御する制御装置と、を備える自動販売機。
【請求項２】
請求項１に記載の自動販売機において、前記代表価格表示装置は、前記複数の商品見本のそれぞれに一対一で対応して配置された複数の価格表示器を含み、
前記制御装置は、隣接する同一価格の複数の商品見本のまとまりごとに、その複数の商品見本に対応する複数の前記価格表示器のいずれかで価格を代表表示する手段を含む、ことを特徴とする自動販売機。
【請求項３】
請求項２に記載の自動販売機において、前記制御装置は、価格を代表表示する前記価格表示器を定周期で順次変更する手段を含む、ことを特徴とする自動販売機。
【請求項４】
請求項２又は３に記載の自動販売機において、前記制御装置は、価格を代表表示する前記価格表示器以外の前記価格表示器を用いて、１又は複数の商品群の範囲を示す表示を行う手段を含む、ことを特徴とする自動販売機。
【請求項５】
請求項１〜４のいずれかに記載の自動販売機において、前記関連付け表示装置は、前記複数の商品見本のそれぞれに一対一で対応して配置され、発光色を選択可能な複数の発光ダイオードを含み、
前記制御装置は、１又は複数の商品群の商品見本に対応する前記発光ダイオードを商品群ごとに異なる発光色で発光させる手段を含む、ことを特徴とする自動販売機。
【請求項６】
請求項５に記載の自動販売機において、前記関連付け表示装置は、前記複数の発光ダイオードが発する光を前記自動販売機の前面から前方へ反射する反射板を含む、ことを特徴とする自動販売機。
【請求項７】
請求項５又は６に記載の自動販売機において、前記複数の商品見本のそれぞれに一対一で対応して配置された複数の商品選択ボタンをさらに備え、前記発光ダイオードが前記商品選択ボタンに設けられている、ことを特徴とする自動販売機。
【発明の詳細な説明】
【技術分野】
【０００１】
本発明は、自動販売機に関する。
【背景技術】
【０００２】
缶飲料やペットボトル飲料等の自動販売機においては、商品見本の各々に対応付けて価格ラベルが個々に付されているのが一般的である。しかしこのような自動販売機においては、商品の価格を変更するときに、各商品見本の価格ラベルを全て手作業で貼り替えなければならず、多大な労力と時間を要するという課題がある。
【０００３】
このような課題を解決することを目的とした従来技術としては、例えば商品見本の各々に対応付けて設けられた複数の商品選択ボタンにデジタル表示器をそれぞれ設け、各商品の価格をそのデジタル表示器で各々表示する自動販売機が公知である。このような自動販売機によれば、各商品の価格データを変更するだけで各商品の価格表示を変更することができるので、商品の価格変更に柔軟に対応することができ、それによって商品の価格変更を簡単作業で短時間に行うことが可能になる（例えば特許文献１を参照）。
【先行技術文献】
【特許文献】
【０００４】
【特許文献１】特開２００２−２７９５００号公報
【発明の概要】
【発明が解決しようとする課題】
【０００５】
しかしながら上記の従来技術においては、商品見本の各々に対応付けて設けられた複数の商品選択ボタンの各々にデジタル表示器を設け、各デジタル表示器で各商品の価格を表示するため、自動販売機の消費電力が大幅に増加してしまうという課題が生ずる。
【０００６】
このような状況に鑑み本発明はなされたものであり、その目的は、商品の価格変更を簡単な作業で短時間に行うことが可能であり、かつ消費電力の増加の虞が少ない自動販売機を提供することにある。
【課題を解決するための手段】
【０００７】
＜本発明の第１の態様＞
本発明の第１の態様は、複数の商品見本と、前記複数の商品見本に対応する１又は複数の商品群の価格をそれぞれ代表表示する代表価格表示装置と、前記代表価格表示装置に代表表示される価格と１又は複数の商品群との関連付けを表示する関連付け表示装置と、前記代表価格表示装置及び関連付け表示装置を制御する制御装置と、を備える自動販売機である。
【０００８】
このような特徴によれば、複数の商品群の価格をそれぞれ代表表示するので、商品の価格表示による電力消費を大幅に低減することができる。また代表表示する各商品群の価格を制御装置によって自在に設定することができるので、商品の価格変更に柔軟に対応することができる。それによって商品の価格変更を簡単な作業で短時間に行うことができる。さらに商品群の各商品見本とその商品群の価格の代表表示との関連付けが表示されるので、代表表示されている価格がどの商品見本に対応しているのかを容易かつ確実に購入者に理解させることができる。
【０００９】
これにより本発明の第１の態様によれば、商品の価格変更を簡単な作業で短時間に行うことが可能であり、かつ消費電力の増加の虞が少ない自動販売機を提供することができるという作用効果が得られる。
【００１０】
＜本発明の第２の態様＞
本発明の第２の態様は、前述した本発明の第１の態様において、前記代表価格表示装置は、前記複数の商品見本のそれぞれに一対一で対応して配置された複数の価格表示器を含み、前記制御装置は、隣接する同一価格の複数の商品見本のまとまりごとに、その複数の商品見本に対応する複数の前記価格表示器のいずれかで価格を代表表示する手段を含む、ことを特徴とする自動販売機である。
このような特徴によれば、隣接する同一価格の複数の商品見本のまとまりごとに、その商品群の価格が代表表示される。それによって商品の価格表示による電力消費を大幅に低減しつつ、代表表示されている価格がどの商品見本に対応しているのかを購入者に容易に理解させることができる。
【００１１】
＜本発明の第３の態様＞
本発明の第３の態様は、前述した本発明の第２の態様において、前記制御装置は、価格を代表表示する前記価格表示器を定周期で順次変更する手段を含む、ことを特徴とする自動販売機である。
このような特徴によれば、隣接する同一価格の複数の商品見本のまとまりにおいて、その商品群の価格が各商品見本に対応する価格表示器に順次代表表示されることになる。それによって商品の価格表示による電力消費を大幅に低減しつつ、代表表示されている価格がどの商品見本に対応しているのかをさらに容易に購入者に理解させることができる。
【００１２】
＜本発明の第４の態様＞
本発明の第４の態様は、前述した本発明の第２の態様又は第３の態様において、前記制御装置は、価格を代表表示する前記価格表示器以外の前記価格表示器を用いて、１又は複数の商品群の範囲を示す表示を行う手段を含む、ことを特徴とする自動販売機である。
このような特徴によれば、商品群の範囲を示す表示によって、代表表示されている価格がどの商品見本に対応しているのかをさらに容易に購入者に理解させることができる。
【００１３】
＜本発明の第５の態様＞
本発明の第５の態様は、前述した本発明の第１〜第４の態様のいずれかにおいて、前記関連付け表示装置は、前記複数の商品見本のそれぞれに一対一で対応して配置され、発光色を選択可能な複数の発光ダイオードを含み、前記制御装置は、１又は複数の商品群の商品見本に対応する前記発光ダイオードを商品群ごとに異なる発光色で発光させる手段を含む、ことを特徴とする自動販売機である。
【００１４】
このような特徴によれば、商品見本のそれぞれに一対一で対応して発光ダイオードが配置されており、価格が異なる商品群ごとに異なる色で発光ダイオードが発光するので、購入者は、代表表示されている価格と商品見本との関連を視覚的かつ直接的に理解することができる。それによって代表表示されている価格がどの商品見本に対応しているのかをさらに容易かつ確実に購入者に理解させることができる。
【００１５】
＜本発明の第６の態様＞
本発明の第６の態様は、前述した本発明の第５の態様において、前記関連付け表示装置は、前記複数の発光ダイオードが発する光を前記自動販売機の前面から前方へ反射する反射板を含む、ことを特徴とする自動販売機である。
このような特徴によれば、発光ダイオードが発する光を効率的に利用して、同一価格の商品群の各商品見本とその商品群の価格の代表表示との関連付けを表示することができる。それによって自動販売機における電力消費をさらに低減することができる。
【００１６】
＜本発明の第７の態様＞
本発明の第７の態様は、前述した本発明の第５の態様又は第６の態様において、前記複数の商品見本のそれぞれに一対一で対応して配置された複数の商品選択ボタンをさらに備え、前記発光ダイオードが前記商品選択ボタンに設けられている、ことを特徴とする自動販売機である。
このような特徴によれば、発光ダイオードを設置する場所を別個に設ける必要がないので、自動販売機における部品実装効率を向上させることができる。それによって商品見本、代表価格表示装置及び商品選択ボタンのレイアウトの自由度を向上させることができる。
【発明の効果】
【００１７】
本発明によれば、商品の価格変更を簡単な作業で短時間に行うことが可能であり、かつ消費電力の増加の虞が少ない自動販売機を提供することができる。
【図面の簡単な説明】
【００１８】
【図１】自動販売機の外観斜視図。
【図２】本発明の第１実施例における自動販売機の要部を拡大図示した正面図。
【図３】本発明の第２実施例における自動販売機の要部を拡大図示した正面図。
【図４】本発明の第３実施例における自動販売機の要部を拡大図示した正面図。
【発明を実施するための形態】
【００１９】
以下、本発明の実施の形態について図面を参照しながら説明する。
尚、本発明は、以下説明する実施例に特に限定されるものではなく、特許請求の範囲に記載された発明の範囲内で種々の変形が可能であることは言うまでもない。
【００２０】
＜自動販売機の構成＞
自動販売機１０の構成の概略について、図１を参照しながら説明する。
図１は、自動販売機１０の外観斜視図である。
【００２１】
自動販売機１０の前面には、商品見本展示部１１、複数の商品見本１２、複数の商品選択ボタン１３、硬貨投入部１４、返却レバー１５、金額表示部１６、ＩＣカードリーダ１７、釣り銭返却部１８及び商品取り出し口１９が設けられている。
【００２２】
商品見本展示部１１には、この自動販売機１０において購入可能な複数の商品の見本として複数の商品見本１２が並べて展示されている。商品見本１２は、例えば商品の空き容器や商品の写真、模型等を用いることができる。あるいは商品そのものを商品見本１２として展示してもよい。商品選択ボタン１３は、複数の商品見本１２のそれぞれに一対一で対応して配置されている。
【００２３】
硬貨投入部１４は、商品の代金としての硬貨を購入者が投入するために設けられている。返却レバー１５は、投入した硬貨や釣り銭を自動販売機１０から取り出すために設けられている。金額表示部１６は、例えば７セグメントＬＥＤ（Light Emitting Diode：発光ダイオード）を用いたデジタル表示器であり、投入した硬貨の総額が表示される。ＩＣカードリーダ１７は、いわゆる電子マネーによる決済を実現する公知の装置である。釣り銭返却部１８は、投入した硬貨や釣り銭の返却口である。商品取り出し口１９は、購入者が購入した商品が排出される部分である。
【００２４】
このような構成の自動販売機１０において、購入者は、所望の商品見本１２に対応する商品選択ボタン１３を押下することによって購入する商品を選択することができる。商品を購入する際の決済は、商品価格を充足する金額の硬貨を硬貨投入部１４から投入するか、あるいは電子マネーをＩＣカードリーダ１７に近づけることによって行うことができる。購入した商品は、商品取り出し口１９に排出される。購入者は、購入した商品を商品取り出し口１９から取り出すことができる。硬貨で決済した場合の釣り銭は、返却レバー１５を操作することによって、あるいは自動的に、釣り銭返却部１８に返却される。
【００２５】
＜第１実施例＞
本発明に係る自動販売機１０の第１実施例について、図２を参照しながら説明する。
図２は、本発明に係る自動販売機１０の第１実施例を図示したものであり、第１実施例の自動販売機１０の要部を拡大図示した正面図である。
【００２６】
商品見本展示部１１には、８つの商品見本１２ａ〜１２ｈ（図１の商品見本１２）が配置されている。商品見本１２ａ〜１２ｈは、同一価格の複数の商品群として第１商品群１２１と第２商品群１２２とに分類される。第１実施例において第１商品群１２１は、５つの隣接する商品見本１２ａ〜１２ｅであり、商品の価格が１２０円の商品群である。また第１実施例において第２商品群１２２は、３つの隣接する商品見本１２ｆ〜１２ｈであり、商品の価格が１００円の商品群である。
【００２７】
商品見本１２の数は、特に８つに限定されるものではなく、自動販売機１０で販売可能な商品数、商品見本展示部１１の大きさ、商品見本１２の大きさ等に応じて適宜設定することができる。また第１商品群１２１及び第２商品群１２２の構成は、商品見本１２ａ〜１２ｈの個々の設定価格に応じて任意に変更可能である。また商品群の数は、特に２つに限定されるものではなく、商品見本１２ａ〜１２ｈの価格設定のバリエーションに応じて変動し得るのであり、例えばさらに第３商品群、第４商品群を設定することもできる。
【００２８】
第１実施例の自動販売機１０は、代表価格表示装置２０、商品選択装置４０及び制御装置５０をさらに備える。
【００２９】
代表価格表示装置２０は、第１商品群１２１の価格及び第２商品群１２２の価格をそれぞれ代表表示する装置であり、８つの価格表示器２１〜２８を含む。価格表示器２１〜２８は、７セグメントＬＥＤを３つ並べて配置したものであり、３桁の価格をデジタル表示可能な表示器であり、それぞれ制御装置５０に接続されている。８つの価格表示器２１〜２８は、８つの商品見本１２ａ〜１２ｈのそれぞれに一対一で対応して配置されている。より具体的には価格表示器２１は、商品見本１２ａの真下に対応する位置に設けられている。価格表示器２２は、商品見本１２ｂの真下に対応する位置に設けられている。価格表示器２３は、商品見本１２ｃの真下に対応する位置に設けられている。価格表示器２４は、商品見本１２ｄの真下に対応する位置に設けられている。価格表示器２５は、商品見本１２ｅの真下に対応する位置に設けられている。価格表示器２６は、商品見本１２ｆの真下に対応する位置に設けられている。価格表示器２７は、商品見本１２ｇの真下に対応する位置に設けられている。価格表示器２８は、商品見本１２ｈの真下に対応する位置に設けられている。
【００３０】
商品選択装置４０は、８つの商品選択ボタン１３ａ〜１３ｈ（図１の商品選択ボタン１３）を含む。商品選択ボタン１３ａ〜１３ｈは、押しボタンスイッチであり、それぞれ制御装置５０に接続されている。８つの商品選択ボタン１３ａ〜１３ｈは、８つの商品見本１２ａ〜１２ｈのそれぞれに一対一で対応して配置されている。より具体的には商品選択ボタン１３ａは、商品見本１２ａの真下に対応する位置に設けられている。商品選択ボタン１３ｂは、商品見本１２ｂの真下に対応する位置に設けられている。商品選択ボタン１３ｃは、商品見本１２ｃの真下に対応する位置に設けられている。商品選択ボタン１３ｄは、商品見本１２ｄの真下に対応する位置に設けられている。商品選択ボタン１３ｅは、商品見本１２ｅの真下に対応する位置に設けられている。商品選択ボタン１３ｆは、商品見本１２ｆの真下に対応する位置に設けられている。商品選択ボタン１３ｇは、商品見本１２ｇの真下に対応する位置に設けられている。商品選択ボタン１３ｈは、商品見本１２ｈの真下に対応する位置に設けられている。
【００３１】
制御装置５０は、公知のマイコン制御回路である。制御装置５０は、第１商品群１２１及び第２商品群１２２の価格の設定に応じて代表価格表示装置２０を制御する。
【００３２】
より具体的には制御装置５０は、隣接する同一価格の商品見本１２ａ〜１２ｅのまとまりである第１商品群１２１の商品の価格１２０円を、その第１商品群１２１に対応する価格表示器２１〜２５のいずれかに代表表示する。特に第１商品群１２１の範囲をより理解しやすくする上では、その第１商品群１２１の中央に位置する商品見本１２ｃに対応する価格表示器２３で第１商品群１２１の商品の価格を代表表示するのが好ましい。また制御装置５０は、隣接する同一価格の商品見本１２ｆ〜１２ｈのまとまりである第２商品群１２２の商品の価格１００円を、その第２商品群１２２に対応する価格表示器２６〜２８のいずれかに代表表示する。特に第２商品群１２２の範囲をより理解しやすくする上では、その第２商品群１２２の中央に位置する商品見本１２ｇに対応する価格表示器２７で第２商品群１２２の商品の価格を代表表示するのが好ましい。
【００３３】
このように本発明に係る自動販売機１０は、複数の同一価格の商品群である第１商品群１２１及び第２商品群１２２の価格をそれぞれ代表表示するので、商品の価格表示による電力消費を大幅に低減することができる。また代表表示する各商品群の価格を制御装置５０によって自在に設定することができるので、商品の価格変更に柔軟に対応することができる。それによって商品の価格変更を簡単な作業で短時間に行うことができる。したがって本発明によれば、商品の価格変更を簡単な作業で短時間に行うことが可能であり、かつ消費電力の増加の虞が少ない自動販売機１０を提供することができる。
【００３４】
また本発明に係る自動販売機１０は、上記説明したように、隣接する同一価格の複数の商品見本１２のまとまりごとに、その商品群の価格が代表表示されるのが好ましい。それによって商品の価格表示による電力消費を大幅に低減しつつ、代表表示されている価格がどの商品見本１２に対応しているのかを購入者に容易に理解させることができる。
【００３５】
また本発明に係る自動販売機１０は、価格を代表表示する価格表示器を定周期で順次変更するのが好ましい。より具体的には制御装置５０は、第１商品群１２１に対応する５つの価格表示器２１〜２５に対し、第１商品群１２１の価格１２０円を代表表示する価格表示器を定周期で順次変更する表示制御を実行するのが好ましい。同様に制御装置５０は、第２商品群１２２に対応する３つの価格表示器２６〜２８に対し、第２商品群１２２の価格１００円を代表表示する価格表示器を定周期で順次変更する表示制御を実行するのが好ましい。第１商品群１２１の価格１２０円は、価格表示器２１〜２５のいずれかに順次代表表示されることになり、第２商品群１２２の価格１００円は、価格表示器２６〜２８のいずれかに順次代表表示されることになる。それによって商品の価格表示による電力消費を大幅に低減しつつ、代表表示されている価格がどの商品見本１２に対応しているのかをさらに容易に購入者に理解させることができる。
【００３６】
また本発明に係る自動販売機１０は、価格を代表表示する価格表示器以外の価格表示器を用いて、第１商品群１２１の範囲及び第２商品群１２２の範囲を示す表示を行うのが好ましい。例えば制御装置５０は、第１商品群１２１において、その価格を代表表示している価格表示器２３以外の価格表示器２１、２２、２４及び２５を用いて第１商品群１２１の範囲を表示する。同様に制御装置５０は、第２商品群１２２において、その価格を代表表示している価格表示器２７以外の価格表示器２６及び２８を用いて第２商品群１２２の範囲を表示する。それによって代表表示されている価格がどの商品見本に対応しているのかをさらに容易に購入者に理解させることができる。
【００３７】
より具体的には、図２に図示したように、価格表示器２１は、左端の７セグメントＬＥＤの左上、左下及び中央の３つのセグメント、真ん中及び右端の７セグメントＬＥＤの中央のセグメントを点灯させる。価格表示器２２は、３つの７セグメントＬＥＤの中央のセグメント、価格表示器２４は、３つの７セグメントＬＥＤの中央のセグメントをそれぞれ点灯させる。価格表示器２５は、右端の７セグメントＬＥＤの右上、右下及び中央の３つのセグメント、真ん中及び左端の７セグメントＬＥＤの中央のセグメントを点灯させる。これによって第１商品群１２１の範囲を表示することができる。
【００３８】
同様に価格表示器２６は、左端の７セグメントＬＥＤの左上、左下及び中央の３つのセグメント、真ん中及び右端の７セグメントＬＥＤの中央のセグメントを点灯させる。価格表示器２８は、右端の７セグメントＬＥＤの右上、右下及び中央の３つのセグメント、真ん中及び左端の７セグメントＬＥＤの中央のセグメントを点灯させる。これによって第２商品群１２２の範囲を表示することができる。
【００３９】
＜第２実施例＞
本発明に係る自動販売機１０の第２実施例について、図３を参照しながら説明する。
図３は、本発明に係る自動販売機１０の第２実施例を図示したものであり、第２実施例の自動販売機１０の要部を拡大図示した正面図である。
【００４０】
第２実施例において第１商品群１２１は、３つの隣接する商品見本１２ａ〜１２ｃであり、商品の価格が１５０円の商品群である。また第２実施例において第２商品群１２２は、５つの隣接する商品見本１２ｄ〜１２ｈであり、商品の価格が１２０円の商品群である。
【００４１】
第２実施例の自動販売機１０は、第１実施例の構成に加えて、関連付け表示装置３０をさらに備える。それ以外の構成については、第１実施例と同じであるため、同一の構成要素には同一の符合を付して詳細な説明を省略する。
【００４２】
関連付け表示装置３０は、第１商品群１２１の３つの商品見本１２ａ〜１２ｃと代表価格表示装置２０に代表表示される第１商品群１２１の価格（１５０円）との関連付けを表示する。また関連付け表示装置３０は、第２商品群１２２の５つの商品見本１２ｄ〜１２ｈと代表価格表示装置２０に代表表示される第２商品群１２２の価格（１２０円）との関連付けを表示する。より具体的には関連付け表示装置３０は、８つの発光ダイオード３１〜３８及び反射板３９を含む。
【００４３】
８つの発光ダイオード３１〜３８は、２種類以上の発光色を選択可能な発光ダイオードであり、それぞれ制御装置５０に接続されている。８つの発光ダイオード３１〜３８は、自動販売機１０の内部に設けられており、８つの商品見本１２ａ〜１２ｈのそれぞれに一対一で対応して配置されている。より具体的には発光ダイオード３１は、商品見本１２ａの真下に対応する位置に設けられている。発光ダイオード３２は、商品見本１２ｂの真下に対応する位置に設けられている。発光ダイオード３３は、商品見本１２ｃの真下に対応する位置に設けられている。発光ダイオード３４は、商品見本１２ｄの真下に対応する位置に設けられている。発光ダイオード３５は、商品見本１２ｅの真下に対応する位置に設けられている。発光ダイオード３６は、商品見本１２ｆの真下に対応する位置に設けられている。発光ダイオード３７は、商品見本１２ｇの真下に対応する位置に設けられている。発光ダイオード３８は、商品見本１２ｈの真下に対応する位置に設けられている。
【００４４】
反射板３９は、商品見本１２ａ〜１２ｈの下方に配置され、商品見本１２ａ〜１２ｈの並び方向にわたる長さを有する部材である。反射板３９は、自動販売機１０の前面に露出するように配置されており、自動販売機１０の内部に配置された８つの発光ダイオード３１〜３８が発する光を自動販売機１０の前面から前方へ反射するように設けられている。このような反射板３９を設けることによって、発光ダイオード３１〜３８が発する光を効率的に利用して、同一価格の商品群の各商品見本１２とその商品群の価格の代表表示との関連付けを表示することができる。それによって自動販売機１０における電力消費をさらに低減することができる。
【００４５】
制御装置５０は、隣接する同一価格の商品見本１２ａ〜１２ｃのまとまりである第１商品群１２１の商品の価格１５０円を、その第１商品群１２１に対応する価格表示器２１〜２３のいずれかに代表表示する。特に第１商品群１２１の範囲をより理解しやすくする上では、その第１商品群１２１の中央に位置する商品見本１２ｂに対応する価格表示器２２で第１商品群１２１の商品の価格を代表表示するのが好ましい。また制御装置５０は、隣接する同一価格の商品見本１２ｄ〜１２ｈのまとまりである第２商品群１２２の商品の価格１２０円を、その第２商品群１２２に対応する価格表示器２４〜２８のいずれかに代表表示する。特に第２商品群１２２の範囲をより理解しやすくする上では、その第２商品群１２２の中央に位置する商品見本１２ｆに対応する価格表示器２６で第２商品群１２２の商品の価格を代表表示するのが好ましい。
【００４６】
制御装置５０は、第１商品群１２１の商品見本１２ａ〜１２ｃに対応する発光ダイオード３１〜３３を第１発光色（例えば赤色）で発光させる。また制御装置５０は、第２商品群１２２の商品見本１２ｄ〜１２ｈに対応する発光ダイオード３４〜３８を第１発光色と異なる第２発光色（例えば青色）で発光させる。このような表示制御を制御装置５０が実行することによって、第１商品群１２１の商品見本１２ａ〜１２ｃと第１商品群１２１の価格１５０円の代表表示との関連付け、第２商品群１２２の商品見本１２ｄ〜１２ｈと第２商品群１２２の価格１２０円の代表表示との関連付けがそれぞれ表示されることになる。つまり購入者は、価格が異なる商品群ごとに異なる色で発光ダイオード３１〜３８が発光するので、代表表示されている価格と商品見本１２との関連を視覚的かつ直接的に理解することができる。それによって代表表示されている価格がどの商品見本１２に対応しているのかを容易かつ確実に購入者に理解させることができる。
【００４７】
＜第３実施例＞
本発明に係る自動販売機１０の第３実施例について、図４を参照しながら説明する。
図４は、本発明に係る自動販売機１０の第３実施例を図示したものであり、第３実施例の自動販売機１０の要部を拡大図示した正面図である。
【００４８】
第３実施例において第１商品群１２１は、１つの商品見本１２ａであり、商品の価格が１００円の商品群である。また第３実施例において第２商品群１２２は、７つの隣接する商品見本１２ｂ〜１２ｈであり、商品の価格が１２０円の商品群である。
【００４９】
第３実施例の自動販売機１０は、第２実施例における関連付け表示装置３０の発光ダイオード３１〜３８が８つの商品選択ボタン１３ａ〜１３ｈにそれぞれ内蔵されている点で第２実施例と異なっている。また第２実施例の反射板３９は設けられていない。それ以外の構成については、第２実施例と同じであるため、同一の構成要素には同一の符合を付して詳細な説明を省略する。
【００５０】
制御装置５０は、商品見本１２ａからなる第１商品群１２１の商品の価格１００円を、その商品見本１２ａに対応する価格表示器２１に代表表示する。また制御装置５０は、隣接する同一価格の商品見本１２ｂ〜１２ｈのまとまりである第２商品群１２２の商品の価格１２０円を、その第２商品群１２２に対応する価格表示器２２〜２８のいずれかに代表表示する。特に第２商品群１２２の範囲をより理解しやすくする上では、その第２商品群１２２の中央に位置する商品見本１２ｅに対応する価格表示器２５で第２商品群１２２の商品の価格を代表表示するのが好ましい。
【００５１】
制御装置５０は、第１商品群１２１の商品見本１２ａに対応する発光ダイオード３１を第１発光色（例えば赤色）で発光させる。それによって第１商品群１２１の商品見本１２ａに対応する商品選択ボタン１３ａが第１発光色で発光することになる。また制御装置５０は、第２商品群１２２の商品見本１２ｂ〜１２ｈに対応する発光ダイオード３２〜３８を第１発光色と異なる第２発光色（例えば青色）で発光させる。それによって第２商品群１２２の商品見本１２ｂ〜１２ｈに対応する商品選択ボタン１３ｂ〜１３ｈが第２発光色で発光することになる。
【００５２】
このように関連付け表示装置３０の発光ダイオード３１〜３８を商品選択ボタン１３ａ〜１３ｈに設けることによって、発光ダイオード３１〜３８を設置する場所を別個に設ける必要がなくなるので、自動販売機１０における部品実装効率を向上させることができる。それによって商品見本１２ａ〜１２ｈ、代表価格表示装置２０及び商品選択ボタン１３ａ〜１３ｈのレイアウトの自由度を向上させることができる。
【符号の説明】
【００５３】
１０  自動販売機
１１  商品見本展示部
１２、１２ａ〜１２ｈ  商品見本
１３、１３ａ〜１３ｈ  商品選択ボタン
２０  代表価格表示装置
２１〜２８  価格表示器
３０  関連付け表示装置
３１〜３８  発光ダイオード
３９  反射板
４０  商品選択装置
５０  制御装置
１２１  第１商品群
１２２  第２商品群
【図１】
2014035662.tif 000003
【図２】
2014035662.tif 000004
【図３】
2014035662.tif 000005
【図４】
2014035662.tif 000006